(57)【要約】【課題】切換装置によって選択的に二輪駆動に切換可能な四輪駆動車両において、変速機内の遊転ギヤで発生する歯打ち音を低減する四輪駆動車両の制御装置を提供する。【解決手段】エンジン１４の回転速度ＮＥが駆動系の捩り共振発生域となると、四輪駆動選択手段８８によって四輪駆動モードを選択させることで、エンジン１４から出力される駆動力が、プロペラシャフト２８および電子制御カップリング１２を介して後輪３４にも伝達される。そして、二輪駆動モードでは自由に回転させられているプロペラシャフト２８などの後輪側の部材の剛性が、四輪駆動モードに切り換えられることで増大する。これにより、駆動系の捩り共振発生域での捩り共振が抑制されて遊転ギヤ４６の歯打ち音を抑制させることができる。【選択図】図１
2008100546.tif 000002
【特許請求の範囲】
【請求項１】
内燃機関の出力を常時噛合式変速機を介して前輪および後輪の一方へ伝達する第１伝達経路と、該内燃機関の出力を前記常時噛合式変速機、プロペラシャフト、および動力伝達および遮断可能な切換装置を介して前記前輪および後輪の他方へ伝達する第２伝達経路と、を備え、前記切換装置により動力伝達が遮断されることにより二輪駆動モードとされ、該切換装置により動力伝達されることにより四輪駆動モードとされる四輪駆動車両の制御装置であって、
前記内燃機関の回転速度が前記内燃機関から前記プロペラシャフトに至る駆動系の捩り共振発生域となると、前記四輪駆動モードを選択する四輪駆動選択手段を備えることを特徴とする四輪駆動車両の制御装置。
【請求項２】
前記切換装置は、電子制御カップリングであることを特徴とする請求項１の四輪駆動車両の制御装置。
【請求項３】
前記内燃機関の回転速度が予め設定された判定範囲内であることに基づいて、前記駆動系の捩り共振発生域を判定する共振発生域判定手段を備え、
前記四輪駆動選択手段は、該共振発生域判定手段により前記内燃機関の回転速度が該駆動系の捩り共振発生域と判定されたときに、前記四輪駆動モードとすることを特徴とする請求項１または２の四輪駆動車両の制御装置。
【請求項４】
前記共振発生域判定手段は、さらに前記内燃機関の出力を操作するアクセルペダルのアクセル開度が予め設定された判定範囲内であることに基づいて、前記駆動系の捩り共振発生域を判定することを特徴とする請求項３の四輪駆動車両の制御装置。
【発明の詳細な説明】
【技術分野】
【０００１】
本発明は、内燃機関の出力を前輪および後輪の一方へ伝達すると共に、プロペラシャフトに設けられている切換装置を介して前輪および後輪の他方へ選択的に駆動力を伝達する形式の四輪駆動車両の制御装置に関するものである。
【背景技術】
【０００２】
一般に車両に備えられる常時噛合式変速機は、エンジンの出力軸にクラッチを介して連結される入力軸と、この入力軸に平行に配置されるカウンタ軸と、入力軸およびカウンタ軸の各々に設けられて複数個の変速段を成立させるための複数個の変速ギヤ対と、選択された変速段を成立させるためにそれに対応する変速ギヤ対を機能させる同期機構と、を備えている。この各変速ギヤ対の入力軸側に設けられているメインギヤおよびカウンタ軸側に設けられているカウンタギヤの一方のギヤは、対応する回転軸に対して一体的に設けられており、他方のギヤは回転軸に対して相対回転可能に設けられて互いに常時噛み合わされている。ここで、ある変速段が選択されると、対応する変速ギヤ対において、同期装置によって回転軸に対して相対回転可能に設けられている他方のギヤが回転軸に相対回転不能に係合されて、その変速ギヤ対にエンジンからの動力が伝達される。
【０００３】
ここで、上記常時噛合式変速機において、選択されない変速段に対応する変速ギヤ対（以下、遊転ギヤと記載する）は、動力が伝達されることはないものの、互いのギヤが噛み合わされているため、常時自由回転させられる。一般に、常時噛合式変速機などの駆動系には、捩り振動（回転変動）が増幅する捩り共振発生周波数域が存在し、エンジンの回転速度がその共振周波数域に達すると、駆動系の捩り振動（回転変動）が増幅させられる。このとき、常時噛合式変速機内の前述した遊転ギヤが捩り共振によって大きく振動させられ、遊転ギヤがその噛合部で歯打ちさせられて異音が発生する問題があった。この異音を抑制するため、通常ではエンジンと常時噛合式変速機との間に介装されているクラッチにトーショナルダンパを設け、回転変動を抑制させ異音の発生を抑制させている。
【０００４】
ところで、車両においてエンジンの駆動力を前輪と後輪に分配するため、前輪と後輪との間に配設されているプロペラシャフト上にカップリングが設けられている形式の四輪駆動車両が知られている。特許文献１に開示されている動力伝達装置がそれである。特許文献１では、各変速段が選択されないニュートラル時において、カウンタ軸を回転させない構造となっている。これにより、ニュートラル時の装置全体の回転慣性力が小さくなるに伴い、捩り共振が小さくなり、遊転ギヤ間で生じる歯打ち音を抑制している。
【０００５】
【特許文献１】特開平６−２００９９３号公報
【発明の開示】
【発明が解決しようとする課題】
【０００６】
特許文献１に記載されているような四輪駆動車両では、通常の走行時では、燃費の観点からカップリングを遮断することで二輪駆動として走行し、例えば前輪と後輪に回転差が発生したことを感知して、必要に応じてカップリングを接続させることで前輪および後輪に駆動力を伝達させている。ところで、通常走行では二輪駆動として機能させるものの、トランスファ、プロペラシャフト、カップリング等の部品は二輪駆動時であっても共に連れ回っているため、回転慣性モーメントが大きくなっている。このため、常時噛合式変速機の捩り共振が大きくなってクラッチのトーショナルダンパでは抑えきれなくなり、遊転ギヤの歯打ち音が増大してしまう問題があった。
【０００７】
本発明は、以上の事情を背景として為されたものであり、その目的とするところは、切換装置によって選択的に二輪駆動に切換可能な四輪駆動車両において、変速機内の遊転ギヤで発生する歯打ち音を低減する四輪駆動車両の制御装置を提供することにある。
【課題を解決するための手段】
【０００８】
上記目的を達成するための、請求項１にかかる発明の要旨とするところは、（ａ）内燃機関の出力を常時噛合式変速機を介して前輪および後輪の一方へ伝達する第１伝達経路と、その内燃機関の出力を前記常時噛合式変速機、プロペラシャフト、および動力伝達および遮断可能な切換装置を介して前記前輪および後輪の他方へ伝達する第２伝達経路と、を備え、前記切換装置により動力伝達が遮断されることにより二輪駆動モードとされ、その切換装置により動力伝達されることにより四輪駆動モードとされる四輪駆動車両の制御装置において、（ｂ）前記内燃機関の回転速度が前記内燃機関から前記プロペラシャフトに至る駆動系の捩り共振発生域となると、前記四輪駆動モードを選択する四輪駆動選択手段を備えることを特徴とする。
【０００９】
また、請求項２にかかる発明の要旨とするところは、請求項１の四輪駆動車両の制御装置において、前記切換装置は、電子制御カップリングであることを特徴とする。
【００１０】
また、請求項３にかかる発明の要旨とするところは、請求項１または２の四輪駆動車両の制御装置において、前記内燃機関の回転速度が予め設定された判定範囲内であることに基づいて、前記駆動系の捩り共振発生域を判定する共振発生域判定手段を備え、前記四輪駆動選択手段は、その共振発生域判定手段により前記内燃機関の回転速度がその駆動系の捩り共振発生域と判定されたときに、前記四輪駆動モードとすることを特徴とする。
【００１１】
また、請求項４にかかる発明の要旨とするところは、請求項３の四輪駆動車両の制御装置において、前記共振発生域判定手段は、さらに前記内燃機関の出力を操作するアクセルペダルのアクセル開度が予め設定された判定範囲内であることに基づいて、前記駆動系の捩り共振発生域を判定することを特徴とする。
【発明の効果】
【００１２】
請求項１にかかる発明の四輪駆動車両の制御装置によれば、前記内燃機関の回転速度が前記駆動系の捩り共振発生域となると、前記四輪駆動選択手段によって四輪駆動モードを選択させることで、内燃機関から出力される駆動力が、前記プロペラシャフトおよび切換装置を介して前輪および後輪の他方側である前記第２伝達経路にも伝達される。そして、二輪駆動モードでは自由に回転させられているプロペラシャフトなどの第２伝達経路の部材の剛性が、四輪駆動モードに切り換えられることで増大する。これにより、駆動系の捩り共振発生域での捩り共振が、第２伝達経路の部材の剛性増大によって抑制されて遊転ギヤの歯打ち音を抑制させることができる。
【００１３】
また、請求項２にかかる発明の四輪駆動車両の制御装置によれば、前記切換装置は電子制御カップリングであるため、適宜四輪駆動モードおよび二輪駆動モードの切換えが可能となる。
【００１４】
また、請求項３にかかる発明の四輪駆動車両の制御装置によれば、前記共振発生域判定手段によって、前記内燃機関の回転速度が予め設定された判定範囲内であることに基づいて、前記駆動系の捩り共振発生域を判定するため、容易に捩り共振発生域を検出することができる。
【００１５】
また、請求項４にかかる発明の四輪駆動車両の制御装置によれば、前記共振発生域判定手段によって、さらに前記内燃機関の出力を操作するアクセルペダルのアクセル開度が予め設定された判定範囲内であることに基づいて、前記駆動系の捩り共振発生域を判定するため、四輪駆動モードの切換をさらに精度良く実施することができる。
【発明を実施するための最良の形態】
【００１６】
以下、本発明の実施例を図面を参照しつつ詳細に説明する。
【００１７】
図１は、本発明が適用された車両用動力伝達装置１０を説明するための図である。車両用動力伝達装置１０は、電子制御カップリング１２によって選択的に四輪駆動モード或いは二輪駆動モードに切換可能なＦＦ（フロントエンジン・フロントドライブ）車両を基本とする四輪駆動車両となっている。図１において、駆動力源であるエンジン１４により発生させられた駆動力（トルク）は、図示しないトーショナルダンパを備えたクラッチ１６、常時噛合式変速機１８、前輪用差動歯車装置２０、および左右一対の前輪車軸２２ｌ、２２ｒを介して左右一対の前輪２４ｌ、２４ｒ（以下、特に区別しない場合には単に前輪２４という）へ伝達される一方、常時噛合式変速機１８、トランスファー２６、プロペラシャフト２８、電子制御カップリング１２、後輪用差動歯車装置３０、および左右一対の後輪車軸３２ｌ、３２ｒを介して左右一対の後輪３４ｌ、３４ｒ（以下、特に区別しない場合には単に後輪３４という）へ伝達される。なお、前述したエンジン１４による駆動力を前輪２４に伝達する経路が、本発明の第１伝達経路に対応しており、後輪３４に駆動力を伝達する経路が、本発明の第２伝達経路に対応している。また、上記車両用動力伝達装置１０には、電子制御カップリング１２を制御するための電子制御装置３６が設けられている。なお、本実施例の電子制御カップリング１２が、本発明の切換装置に対応しており、エンジン１４が、本発明の内燃機関に対応している。
【００１８】
上記エンジン１４は、例えば、気筒内噴射される燃料の燃焼によって駆動力を発生させるガソリンエンジン或いはディーゼルエンジン等の内燃機関である。また、常時噛合式変速機１８は、クラッチ１６を介してエンジン１４の駆動力が直接伝達される入力軸３８およびその入力軸に平行に配設されたカウンタ軸４０を備えている。入力軸３８には、複数個の入力ギヤ４２が一体的或いは相対回転可能に設けられている。また、カウンタ軸４０には、複数個のカウンタギヤ４４が一体的或いは相対回転可能に設けられており、それぞれ入力ギヤ４２と常時噛み合わされている。これにより、互いに噛み合う一対の入力ギヤ４２とカウンタギヤ４４とによって複数の変速段を成立させるための複数個の変速ギヤ対４６が形成される。ここで、例えばシフトレバーによりある変速段が選択操作されると、所定のシンクロナイザ付噛合クラッチが係合させられることにより、その変速段に対応する変速ギヤ対４６に動力が伝達される。
【００１９】
具体的には、例えば対応する変速ギヤ対４６が、カウンタギヤ４４側がカウンタ軸４０に対して相対回転可能、且つ入力ギヤ４２側が入力軸３８に対して一体的に回転させられている場合、カウンタ軸４０に設けられている図示しないシンクロナイザ付噛合クラッチによって、カウンタギヤ４４とカウンタ軸４０とが同期されて一体回転させられ、その変速ギヤ対４６に動力が伝達される。一方、対応する変速ギヤ対４６が、入力ギヤ４２側が入力軸３８に対して相対回転可能、且つカウンタギヤ４４側がカウンタ軸４０に対して一体的に回転させられている場合、入力軸３８に設けられている図示しないシンクロナイザ付噛合クラッチによって入力ギヤ４２と入力軸３８とが同期されて一体回転させられ、その変速ギヤ対４６に駆動力が伝達される。そして、カウンタ軸４０に一体的に設けられている出力ギヤ４８からその駆動力が前輪用差動歯車装置２０に伝達される。
【００２０】
電子制御カップリング１２は、その電子制御カップリング１２内に備えられた電磁ソレノイドに供給される電流の指令値を制御することにより、動力の伝達および遮断が可能となっており、前輪２４および後輪に３４に配分される駆動力を好適に制御することができる。また、電子制御カップリング１２が係合されると、動力が後輪３４側に伝達されて四輪駆動走行状態である四輪駆動モードとされ、電子制御カップリング１２が遮断されると、後輪３４側に動力が伝達されず二輪駆動走行状態である二輪駆動モードとされる。なお、本実施例の電子制御カップリング１２は、電磁ソレノイドに供給される電流量が大きくなるに従って、後輪３４に伝達される駆動力が大きくなるように構成されている。
【００２１】
図２は、図１の電子制御カップリング１２を制御するために車両に設けられた制御系統の要部を説明するブロック線図である。この図２に示す電子制御装置３６は、ＣＰＵ、ＲＡＭ、ＲＯＭ、入出力インターフェース等を備えた所謂マイクロコンピュータを含んで構成されており、ＲＡＭの一時記憶機能を利用しつつ予めＲＯＭに記憶されたプログラムに従って信号処理を行うことにより、エンジン１４の出力制御や電子制御カップリング１２の駆動力配分制御等を実行するようになっており、必要に応じてエンジン制御用や変速制御用等に分けて構成される。
【００２２】
図２において、アクセルペダル５０の操作量Ａccがアクセル操作量センサ５２により検出されるとともに、そのアクセル操作量（アクセル開度）Ａccを表す信号が電子制御装置３６に供給されるようになっている。このアクセルペダル５０は、運転者の出力要求量に応じて大きく踏み込み操作されるものであることからアクセル操作部材に相当し、アクセル操作量Ａccは出力要求量に相当する。また、常用ブレーキであるフットブレーキのブレーキペダル５４の操作の踏込量θＳＣを表す信号が電子制御装置３６に供給されるようになっている。このブレーキペダル５４は、運転者の減速要求量に応じて大きく踏み込み操作されるものであることからブレーキ操作部材に相当し、その踏込量θＳＣはブレーキ操作量に相当する。
【００２３】
また、エンジン１４の回転速度ＮＥを検出するためのエンジン回転速度センサ５８、エンジン１４の吸入空気量Ｑを検出するための吸入空気量センサ６０、吸入空気の温度ＴＡを検出するための吸入空気温度センサ６２、エンジン１４の電子スロットル弁の全閉状態（アイドル状態）およびその開度θＴＨを検出するためのアイドルスイッチ付スロットル弁開度センサ６４、車速Ｖ（カウンタ軸４０の回転速度ＮＯＵＴに相当）を検出するための車速センサ６６、エンジン１４の冷却水温ＴＷを検出するための冷却水温センサ６８、ブレーキペダル５４の操作の有無乃至は踏込量θＳＣを検出するためのブレーキセンサ７０、シフトレバー７２のレバーポジション（操作位置）ＰＳＨを検出するためのレバーポジションセンサ７４、入力軸３８の回転速度ＮＩＮを検出するための入力軸回転速度センサ７５、四輪それぞれの車輪回転速度Ｖｒを検出するための車輪回転速度センサ７６、車両の前後左右の加速度（減速度）Ｇを検出するための加速度センサ８０などが設けられており、それらのセンサやスイッチなどから、エンジン回転速度ＮＥ、吸入空気量Ｑ、吸入空気温度ＴＡ、スロットル弁開度θＴＨ、車速Ｖ、エンジン冷却水温ＴＷ、ブレーキ操作の有無乃至は踏込量θＳＣ、車輪回転速度Ｖｒ、シフトレバー７２のレバーポジションＰＳＨ、入力軸回転速度ＮＩＮ、車両の加速度（減速度）Ｇなどを表す信号が電子制御装置３６に供給されるようになっている。
【００２４】
これらの各種センサからの入力信号に基づき、電子制御装置３６は好適な前後輪トルク配分を行うように電子制御カップリング１２を制御する。例えば、発進走行時、低μ路走行時、悪路走行時において、アクセル操作量（アクセル開度）Ａcc、エンジン回転速度ＮＥ、シフトポジションＰＳＨなどの信号からエンジン駆動トルクを算出し、最大限の加速或いは走行性能を確保するように後輪３４に伝達される駆動力が制御される。また、アクセル開度Ａccや車輪回転速度Ｖｒなどから運転者の操作状況および車両が安定していると判断された場合には、後輪３４への伝達トルクを遮断することで、二輪駆動状態とし、燃費を抑制させる。また、例えば操舵角と車速から求めた目標ヨーレートと左右加速度Ｇおよび車速Ｖから推定されるヨーレートとを比較して、強い後輪横滑りと判断されると、後輪３４への伝達トルクを下げて前輪駆動に近い状態とし、一方、強い前輪横滑りと判断されると、後輪３４の伝達トルクを上げて四輪駆動に近い状態とし、横滑りを抑制する。
【００２５】
上述した常時噛合式変速機１８において、ある変速段が選択されるとその変速段に対応する変速ギヤ対４６に駆動力が伝達される一方、他の変速ギヤ対４６（以下、遊転ギヤ４６という）は、駆動力は伝達されないものの、互いの噛合によって常時回転させられる。ここで、一般に車両用動力伝達装置１０において、エンジン１４の回転変動に伴うエンジン１４からプロペラシャフト２８に至る駆動系の捩り共振周波数域が存在し、エンジン１４の回転変動がこの駆動系の共振周波数近傍となると、駆動系の回転変動（捩り振動）が増大する。特に、本実施例のような四輪駆動車両では、電子制御カップリング１２が遮断されて車両が前輪駆動状態であっても、トランスファー２６、プロペラシャフト２８、および電子制御カップリング１２の一部は、常時回転させられるため、駆動系の回転慣性モーメントが増大する。これに伴い、駆動系の回転変動も増大し、前述した遊転ギヤ４６の噛合部より回転変動（捩り振動）増大による歯打ち音が発生し易くなっている。
【００２６】
図３は、エンジン１４の回転速度ＮＥとエンジン１４および常時噛合式変速機１８の回転変動速度との関係を示した図である。なお、図３においては、図４に示すように、電子制御カップリング１２が遮断されており、破線で示す後輪部には動力が伝達されない二輪駆動状態での回転変動速度の関係を示している。ここで、横軸がエンジン１４の回転速度ＮＥを示しており、縦軸がエンジン１４および常時噛合式変速機１８の入力軸３８の回転変動速度すなわち捩り振動の大きさを示している。図３において、実線がエンジン１４の回転変動速度を示している。エンジン１４の回転変動速度は、エンジン１４の回転速度ＮＥが大きくなるにつれて小さくなる傾向にあり、４０００ｒｐｍ付近を境にして、一転して回転変動速度が大きくなる。また、図において一点鎖線が常時噛合式変速機１８の目標値として予め設定した回転変動速度を示している。なお、この常時噛合式変速機１８の回転変動速度の目標値は、遊転ギヤ４６で発生する歯打ち音が運転者には感知されない程に、十分に抑制される状態となるように設定されている。
【００２７】
破線で示される回転変動速度が、計算によって算出された常時噛合式変速機１８の入力軸３８の回転変動速度を示している。この図に示されるように、エンジン１４の回転数が１７００〜１８００ｒｐｍの領域において、捩り共振が発生し、常時噛合式変速機１８の入力軸３８の回転変動速度が一点鎖線で示す回転変動速度目標値を大きく超える程に増大されている。これにより、遊転ギヤ４６の歯打ち音が発生し易くなっている。
【００２８】
図５は、本発明の要部である電子制御装置３６による電子制御カップリング１２の制御機能を説明する機能ブロック線図である。
【００２９】
図５において、共振発生域判定手段８６は、エンジン１４の回転速度ＮＥが予め設定された判定範囲内であることに基づいて、エンジン１４からプロペラシャフト２８に至る駆動系の捩り共振発生域を判定するためのものである。具体的には、先ず、アクセルペダル５０の操作量（アクセル開度Ａcc）が予め設定された判定範囲内であるか否かに基づいて駆動系の共振発生域が判定される。ここで、エンジン１４のアクセル開度Ａccが大きくなるに従って、駆動系の捩り振動が大きくなることが知られており、例えば、アクセル開度Ａccが７０％以上の範囲が、予め設定された判定範囲に設定されている。なお、このアクセル開度Ａccの範囲は予め実験或いは計算によって好適な数値に設定されるものである。
【００３０】
また、アクセル開度Ａccがこの判定範囲内（７０％以上）となると、次に、エンジン回転速度センサ５８から検出されるエンジン回転速度ＮＥが、予め設定されている判定範囲内であるか否かが判定される。予め設定されている判定範囲は、図３に示すような破線で示す常時噛合式変速機１８の回転変動速度が一点鎖線で示す回転変動目標値を超える範囲、すなわち本実施例では例えば１５００〜２０００ｒｐｍの範囲に設定されている。なお、このエンジン回転速度ＮＥの範囲は、予め実験或いは計算によって好適な数値に設定されるものである。そして、エンジン回転数ＮＥがこの判定範囲内となると、駆動系が捩り共振発生域内であると判定される。
【００３１】
四輪駆動選択手段８８は、共振発生域判定手段８６によりエンジン１４の回転速度ＮＥが駆動系の捩り共振発生域と判定されたときに、車両が二輪駆動走行モードで走行の際に、四輪駆動モードを選択し、電子制御カップリング１２を係合させて後輪３４に駆動力を伝達させるためのものである。これにより、電子制御カップリング１２が係合されると、駆動力がトランスファー２６、プロペラシャフト２８、電子制御カップリング１２、後輪用差動歯車装置３０、後輪車軸３２、および後輪３４に伝達されて、これらの後輪側の部材の剛性が増大される。
【００３２】
図６は、電子制御装置３６の制御作動の要部すなわち電子制御カップリング１２を好適に制御することにより、エンジン１４からプロペラシャフト２８に至る駆動系の捩り振動を抑制し、遊転ギヤ４６から発生する歯打ち音を抑制するための作動制御を説明するフローチャートであり、例えば数ｍｓｅｃ乃至数十ｍｓｅｃ程度の極めて短いサイクルタイムで繰り返し実行されるものである。
【００３３】
先ず、ステップＳ１（以下、ステップを省略する）において、二輪駆動モードすなわち現在の車両の走行状態が二輪駆動走行状態であるか否かが判定される。この判定が否定されると、現在の車両が四輪駆動走行状態での走行となり、本ルーチンは終了させられる。一方、この判定が肯定されると、共振発生域判定手段８６に対応するＳ２において、アクセル開度Ａccが予め設定されたアクセル開度Ａ１よりも大きいか否かが判定される。この判定が否定されると、Ｓ５によって二輪駆動モード走行が継続させられる。なお、本実施例の予め設定されたアクセル開度Ａ１は７０％に設定されている。一方、Ｓ２が肯定されると、同じく共振発生域判定手段８６に対応するＳ３において、エンジン回転速度ＮＥが予め設定された範囲内であるか否かが判定される。なお、予め設定された範囲（ＮＥ１＜ＮＥ＜ＮＥ２）は、本実施例においては、ＮＥ１が１５００ｒｐｍ、ＮＥ２が２０００ｒｐｍとなっており、エンジン回転数ＮＥがこの範囲内（１５００〜２０００ｒｐｍ）である場合にこの判定が肯定される。Ｓ３が否定されると、Ｓ５によって二輪駆動モード走行が継続させられる。一方、Ｓ３が肯定されると、四輪駆動選択手段８８に対応するＳ４において、電子制御カップリング１２が係合されることで、四輪駆動モード走行に切り換えられる。
【００３４】
図７は、上記制御作動を実施した場合のエンジン１４の回転速度ＮＥとエンジン１４および常時噛合式変速機１８の入力軸３８の回転変動速度（捩り振動）との関係を示した図であり、図３に対応するものである。図７に示すように、図３に示した駆動系の捩り共振発生域（１７００〜１８００ｒｐｍ）において、四輪駆動モードに切り換えられることで、常時噛合式変速機１８の入力軸３８の捩り共振が、後輪側の部材（トランスファー２６、プロペラシャフト２８、電子制御カップリング１２、後輪用差動歯車装置３０、後輪車軸３２、および後輪３４）の剛性増大に伴って抑制されている。これにより、エンジン回転速度ＮＥの全ての領域において、一点鎖線で示す常時噛合式変速機１８の回転変動速度の目標値を下回ることで、常時噛合式変速機１８の遊転ギヤ４６からの歯打ち音が抑制される。
【００３５】
図８および図９は、車両用動力伝達装置１０の振動系をモデル化した図である。ここで、図８は二輪駆動モードすなわち二輪駆動走行状態、図９は四輪駆動モードすなわち四輪駆動走行状態のモデル図となっている。また、Ｌ１はエンジン１４の慣性モーメント、Ｌ２は常時噛合式変速機１８（Ｔ／Ｍ）、トランスファー２６（Ｔ／Ｆ）、およびプロペラシャフト２８（Ｐ／Ｓ）など駆動系の慣性モーメント、Ｌ３は前輪２４の慣性モーメント、Ｌ４は車両系の慣性モーメント、Ｌ５は後輪用差動歯車装置３０（Ｄ／Ｆ）などの慣性モーメント、Ｌ６は後輪３４の慣性モーメントを示しており、Ｋcがクラッチ１６によるバネ定数を、Ｋdfが前輪車軸２２によるバネ定数を、Ｋtfが前輪２４によるバネ定数を、Ｋdrが後輪車軸３２によるバネ定数を、Ｋpがプロペラシャフト２８のバネ定数を、Ｋtrが後輪３４のバネ定数を示している。また、それぞれの回転体の間には、減衰装置としてダッシュポットが設けられている。図８に示すように、二輪駆動モードであっても、慣性モーメントＬ２には、トランスファー２６、プロペラシャフト２８などの慣性モーメントが加わるために、慣性モーメントＬ２が比較的大きくなる。これにより、回転変動トルクが増大するために、クラッチ１６の図示しないトーショナルダンパでは抑えきれなくなり、図３に示すような駆動系の捩り共振が発生し、遊転ギヤ４６から歯打ち音が発生し易くなる。一方、図９に示す四輪駆動モードでは、常時噛合式変速機１８に対して慣性モーメントＬ５、Ｌ６、バネ定数Ｋp、Ｋdrおよびダッシュポットが連結される。これにより、後輪側のダッシュポットによる振動減衰作用によって駆動系の捩り共振が抑制される。
【００３６】
上述のように、本実施例によれば、エンジン１４の回転速度ＮＥがエンジン１４からプロペラシャフト２８に至る駆動系の捩り共振発生域となると、四輪駆動選択手段８８によって四輪駆動モードを選択させることで、エンジン１４から出力される駆動力が、プロペラシャフト２８および電子制御カップリング１２を介して後輪３４にも伝達される。そして、二輪駆動モードでは自由に回転させられているプロペラシャフト２８などの後輪側の部材の剛性が、四輪駆動モードに切り換えられることで増大する。これにより、駆動系の捩り共振発生域での捩り共振が抑制されて遊転ギヤ４６の歯打ち音を抑制させることができる。また、この捩り共振を抑制するにおいて、例えばクラッチ１６のトーショナルダンパを特別なものに変更するなど、従来の構成をほとんど変更する必要がないため、製造コストを抑制することができる。
【００３７】
また、前述の実施例によれば、本発明の切換装置は、電子制御カップリング１２であるため、適宜四輪駆動モードおよび二輪駆動モードの切換えが可能となる。
【００３８】
また、前述の実施例によれば、共振発生域判定手段８６によって、エンジン１４の回転速度ＮＥが予め設定された判定範囲内であることに基づいて、常時噛合式変速機１８の捩り共振発生域を判定するため、容易に捩り共振発生域を検出することができる。
【００３９】
また、前述の実施例によれば、共振発生域判定手段８６によって、さらにエンジン１４の出力を操作するアクセルペダル５０のアクセル開度Ａccが予め設定された判定範囲内であることに基づいて、常時噛合式変速機１８の捩り共振発生域を判定するため、四輪駆動モードの切換をさらに精度良く実施することができる。
【００４０】
以上、本発明の実施例を図面に基づいて詳細に説明したが、本発明はその他の態様においても適用される。
【００４１】
例えば、本実施例の車両用動力伝達装置１０は、二輪駆動モードにおいて、前輪２４側を駆動させるＦＦ車両を基本とした四輪駆動車両であったが、二輪駆動モードにおいて、後輪３４を駆動させる例えばＲＲ（リアエンジン・リアドライブ）車両などを基本とした他の形式の四輪駆動車両であってもよい。
【００４２】
また、本実施例の予め設定された判定範囲の具体的数値（例えばアクセル開度Ａccが７０％以上、エンジン回転速度が１５００〜２０００ｒｐｍ）は、本実施例においてのみ適用されるものであり、適用される車両に対して実験或いは計算によってそれぞれ求められるものである。
【００４３】
また、本実施例の共振発生域判定手段８８では、エンジン回転数ＮＥが１５００〜２０００ｒｐｍの範囲で共振発生域と判定されたが、この共振発生域を各変速段毎に予め設定してもよい。具体的には、シフトレバーポジションセンサ７４によって変速段を判定し、電子制御装置３６に予め記憶されているその変速段に対応した共振発生域を用いて判定することができる。
【００４４】
なお、上述したのはあくまでも一実施形態であり、本発明は当業者の知識に基づいて種々の変更、改良を加えた態様で実施することができる。
【図面の簡単な説明】
【００４５】
【図１】本発明が適用された車両用動力伝達装置を説明するための骨子図である。
【図２】図１の電子制御カップリングを制御するために車両に設けられた制御系統の要部を説明するブロック線図である。
【図３】エンジンの回転速度とエンジンおよび常時噛合式変速機の入力軸の回転変動速度との関係を示した図である。
【図４】破線で示す後輪部には動力が伝達されない二輪駆動状態での車両用動力伝達装置の骨子図である。
【図５】本発明の要部である電子制御装置による電子制御カップリングの制御機能を説明する機能ブロック線図である。
【図６】電子制御装置の制御作動の要部すなわち電子制御カップリングを好適に制御することにより駆動系の捩り振動を抑制し、遊転ギヤから発生する歯打ち音を抑制するための作動制御を説明するフローチャートである。
【図７】図６の作動制御を実施した際のエンジンの回転速度とエンジンおよび常時噛合式変速機の入力軸の回転変動速度の関係を示した図である。
【図８】二輪駆動走行状態の車両用動力伝達装置の振動系をモデル化した図である。
【図９】四輪駆動走行状態の車両用動力伝達装置の振動系をモデル化した図である。
【符号の説明】
【００４６】
１０：車両用動力伝達装置（四輪駆動車両）  １２：電子制御カップリング（切換装置）  １４：エンジン（内燃機関）  １８：常時噛合式変速機  ２４：前輪  ２８：プロペラシャフト  ３４：後輪  ５０：アクセルペダル  ８６：共振発生域判定手段  ８８：四輪駆動選択手段
【図１】
2008100546.tif 000003
【図２】
2008100546.tif 000004
【図３】
2008100546.tif 000005
【図４】
2008100546.tif 000006
【図５】
2008100546.tif 000007
【図６】
2008100546.tif 000008
【図７】
2008100546.tif 000009
【図８】
2008100546.tif 000010
【図９】
2008100546.tif 000011